【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
吸収体、該吸収体の内面側に配された肌側シート及び該吸収体の外面側に配された非肌側シートを含む吸収性本体と、該吸収性本体の一方又は両方の側部に取り付けられた伸縮性のサイドパネルを備えた使い捨ておむつであって、
前記サイドパネルは、先端部にファスニングテープが設けられており、第１及び第２の２枚のパネルシート及び２枚の該パネルシート間に伸長した状態で固定された弾性部材を有しており、
前記弾性部材は、前記吸収性本体側の端部若しくはその近傍において、及び前記サイドパネルの先端部側の端部又はその近傍において、第１及び第２のパネルシートの双方に固定されており、
（ａ）第１及び第２のパネルシートのうち、少なくとも第１パネルシートは、前記吸収性本体側の端部が、前記サイドパネルの内側に折り返された本体側積層構造部分を有しており、
前記本体側積層構造部分においては、折り返しによって対向している第１パネルシート間に接着剤が施されて本体側層間接着剤層が形成されており、
前記本体側層間接着剤層が、前記本体側積層構造部分を越えて、前記サイドパネルの幅方向中央側に向けて延出した本体側延出接着剤層を有しており、
前記弾性部材は、前記本体側延出接着剤層と、第２パネルシート側に位置し、かつ前記吸収性本体側の端部又はその近傍を固定している本体側接着剤層とによって、第１及び第２のパネルシートの双方に固定されているか、又は
（ｂ）第１及び第２のパネルシートのうち、少なくとも第１パネルシートは、前記サイドパネルの先端部側の端部が、前記サイドパネルの内側に折り返された先端側積層構造部分を有しており、
前記先端側積層構造部分においては、折り返しによって対向している第１パネルシート間に接着剤が施されて先端側層間接着剤層が形成されており、
前記先端側層間接着剤層が、前記先端側積層構造部分を越えて、前記サイドパネルの幅方向中央側に向けて延出した先端側延出接着剤層を有しており、
前記弾性部材は、前記先端側延出接着剤層と、第２パネルシート側に位置し、かつ前記サイドパネルの先端部側の端部又はその近傍を固定している先端側接着剤層とによって、第１及び第２のパネルシートの双方に固定されている、使い捨ておむつ。
【請求項２】
前記本体側延出接着剤層及び本体側接着剤層は、前記サイドパネルの幅方向中央側の端部の位置が一致している請求項１に記載の使い捨ておむつ。
【請求項３】
前記先端側延出接着剤層及び前記先端側接着剤層は、前記サイドパネルの幅方向中央側の端部の位置が一致している請求項１に記載の使い捨ておむつ。
【請求項４】
第１パネルシートは、前記吸収性本体側の端部が内側に折り返された本体側積層構造部分、及び前記サイドパネルの先端部側の端部が内側に折り返された先端側積層構造部分を有しており、
前記層間接着剤層が、前記本体側積層構造部分を越えて、前記サイドパネルの幅方向中央側に向けて延出した本体側延出接着剤層を有しているとともに、前記層間接着剤層が、前記先端側積層構造部分を越えて、前記サイドパネルの幅方向中央側に向けて延出した先端側延出接着剤層を有しており、
前記弾性部材は、前記本体側延出接着剤層と、第２パネルシート側に位置する前記本体側接着剤層とによって、第１及び第２のパネルシートの双方に固定されているとともに、前記先端側延出接着剤層と、第２パネルシート側に位置する前記先端側接着剤層とによって、第１及び第２のパネルシートの双方に固定されている請求項１ないし３のいずれか一項に記載の使い捨ておむつ。
【請求項５】
第１及び第２のパネルシートのうち、第１パネルシートが外面側に配されている請求項１ないし４のいずれか一項に記載の使い捨ておむつ。
【請求項６】
一対の帯状シートを搬送する工程と、該帯状シートの間に、該帯状シートの搬送方向と交差する方向に糸状弾性体を配置し、該帯状シートの搬送方向に沿う該帯状シートの一側部及び他側部それぞれにおいて、糸状弾性体を伸長状態で一対の該帯状シートの双方に固定する工程を備えた伸縮性シートの製造方法であって、
一対の前記帯状シートのうちの一方の帯状シートについて、該帯状シートの搬送方向に沿う該帯状シートの一側部及び他側部のうちの少なくとも一方に、該搬送方向に沿って接着剤を塗工し、
前記接着剤が塗工された側部を、該接着剤が内側となるように折り返して積層構造部分を形成し、
他方の前記帯状シートと、前記積層構造部分を有する一方の前記帯状シートとの間に、これらの帯状シートの搬送方向と交差する方向に前記糸状弾性体を伸長状態で固定する工程を備え、
前記積層構造部分の形成時に、前記接着剤の一部が露出するように一方の前記帯状シートを折り返し、折り返し後に露出している該接着剤によって前記糸状弾性体を固定する、伸縮性シートの製造方法。
【請求項７】
一対の前記帯状シートのうちの他方の帯状シートに、接着剤を塗工する工程を備える、請求項６記載の伸縮性シートの製造方法。
【手続補正２】
【補正対象書類名】明細書
【補正対象項目名】００３３
【補正方法】変更
【補正の内容】
【００３３】
第１パネルシート３１の先端側積層構造部分３１Ｂにおいては、先端側層間接着剤層３１ｂが、先端側積層構造部分３１Ｂを越えて、サイドパネル３の幅方向Ｘの中央側に向けて延出している。この延出によって、先端側延出接着剤層３１ｂ’が形成されている。先端側延出接着剤層３１ｂ’は第１パネルシート３１によって被覆されておらず、該先端側延出接着剤層３１ｂ’はサイドパネル３の内面Ｐ側に向けて露出している。そして、露出している先端側延出接着剤層３１ｂ’は、個々の弾性部材３３の、サイドパネル３の先端部側の端部又はその近傍を、サイドパネル３の外面Ｑ側から内面Ｐ側に向けて固定している。
【手続補正３】
【補正対象書類名】明細書
【補正対象項目名】００４１
【補正方法】変更
【補正の内容】
【００４１】
本実施形態のおむつ１におけるサイドパネル３は、図４に示すとおり、先端側層間接着剤層３１ｂを有する先端側積層構造部分３１Ｂを有しており、その先端側積層構造部分を３１Ｂによって補強された先端部３ａが、接続用接着剤層６５によってファスニングテープ４と接合されている。ファスニングテープ４は、テープ基材４２と、該テープ基材４２に接合されて止着部４１を形成する機械的面ファスナーのオス部材とからなる。そして、ファスニングテープ４における、テープ基材４２のみからなる部分が、サイドパネル３の先端部３ａに重ねて接合されている。本実施形態においては、サイドパネル３の先端部３ａとテープ基材４２との間は、接続用接着剤層６５を介して接合されている。機械的面ファスナーのオス部材をテープ基材４２に固定する方法としては、熱融着や接着剤による接着等の任意の接合方法が用いられる。なお、おむつ１の腹側部Ａの外面には、ファスニングテープ４の止着部４１を止着させるランディングゾーン５（図２参照）が設けられている。
【手続補正４】
【補正対象書類名】明細書
【補正対象項目名】００６８
【補正方法】変更
【補正の内容】
【００６８】
＜２４＞  前記第１及び第２のパネルシートのうち、前記第１パネルシートが内面側に配されている、前記＜１＞〜＜２３＞のいずれか１に記載の使い捨ておむつ。
＜２５＞  前記第１及び第２のパネルシートの双方に積層構造部分及び延出接着剤層を形成する、前記＜１＞〜＜２３＞のいずれか１に記載の使い捨ておむつ。
＜２６＞  前記吸収性本体は、着用時に着用者の腹側に位置する腹側部、着用者の背側に位置する背側部、及び股間部に位置する股下部を有し、サイドパネルは、背側部における吸収性本体の両側部に、それぞれ吸収性本体の両側縁部から外方に突出するように取り付けられている、前記＜１＞〜＜２５＞のいずれか１に記載の使い捨ておむつ。
＜２７＞  前記非肌側シートは、液不透過性又は液難透過性（撥水性を含む）の防漏シートと、該防漏シートの外面側に外層接着剤層を介して接合された外層不織布とを有する複合シートからなる、前記＜１＞〜＜２６＞のいずれか１に記載の使い捨ておむつ。
＜２８＞  前記弾性部材は糸状のものであり、それぞれ、おむつの幅方向（Ｘ方向）に沿って複数本配されており、おむつの長手方向（Ｙ方向）に略等しい間隔を設けて配されている、前記＜１＞〜＜２７＞のいずれか１に記載の使い捨ておむつ。
＜２９＞  前記サイドパネルに配する弾性部材は、複数本であって、４本以上であるか、６本以上であり、３０本以下であるか、２０本以下であり、また、４本以上３０本以下であるか、６本以上２０本以下である、前記＜１＞〜＜２８＞のいずれか１に記載の使い捨ておむつ。
＜３０＞  前記サイドパネルを構成するパネルシートして、不織布、織物、フィルム又はこれらの積層シートを用いる、前記＜１＞〜＜２９＞のいずれか１に記載の使い捨ておむつ。